(57)【要約】【課題】  簡単な構造で、低コスト化を図り、かつアコースティックピアノの鍵タッチ感に近似する鍵タッチ感が得られる鍵盤装置およびそれを備えた鍵盤楽器を提供する。【解決手段】  押鍵された鍵６に連動して回転することにより、鍵６にアクション荷重を付与するハンマー部材７と、このハンマー部材７が回転した際に、ハンマー部材７が当接して鍵６に鍵荷重を付与する鍵荷重付与部材３０と、を備え、この鍵荷重付与部材３０は、ハンマー部材７が当接した際に鍵６に付与される鍵荷重が鍵６の高音域と鍵６の低音域とで異なる。従って、鍵荷重付与部材３０によって鍵６に付与される鍵荷重を高音域と低音域とで異ならせることができるので、装置全体の構造が極めて簡単になり、製造コストの低価格化を図ることができ、かつアコースティックピアノの鍵タッチ感に近似する鍵タッチ感を得ることができる。【選択図】        図３
2018112626.tif 000002
【特許請求の範囲】
【請求項１】
押鍵された鍵に連動して回転することにより、前記鍵にアクション荷重を付与するハンマー部材と、
前記ハンマー部材が回転した際に、前記ハンマー部材が当接して前記鍵に鍵荷重を付与する鍵荷重付与部材と、
を備え、
前記鍵荷重付与部材は、前記ハンマー部材が当接した際に前記鍵に付与される前記鍵荷重が前記鍵の高音域と前記鍵の低音域とで異なることを特徴とする鍵盤装置。
【請求項２】
請求項１に記載の鍵盤装置において、前記鍵荷重付与部材は、弾力性を有する材料を含むことを特徴とする鍵盤装置。
【請求項３】
請求項２に記載の鍵盤装置において、前記鍵荷重付与部材は、その厚みが前記鍵の高音域から前記鍵の低音域に向かうに従って次第に厚く形成されていることを特徴とする鍵盤装置。
【請求項４】
請求項２に記載の鍵盤装置において、前記鍵荷重付与部材は、前記ハンマー部材が当接した際に変形する変形量が前記鍵の高音域から前記鍵の低音域に向かうに従って次第に大きいことを特徴とする鍵盤装置。
【請求項５】
請求項２〜請求項４のいずれかに記載の鍵盤装置において、前記鍵荷重付与部材は、前記ハンマー部材が当接する面側から順に、消音層、耐衝撃層、ベース層の３層構造を有することを特徴とする鍵盤装置。
【請求項６】
請求項１に記載の鍵盤装置において、前記鍵荷重付与部材は、ゲルまたは粘性を有する流動体を含むことを特徴とする鍵盤装置。
【請求項７】
請求項１〜請求項６のいずれかに記載の鍵盤装置を備えていることを特徴とする鍵盤楽器。
【発明の詳細な説明】
【技術分野】
【０００１】
この発明は、電子ピアノなどの鍵盤楽器に用いられる鍵盤装置およびそれを備えた鍵盤楽器に関する。
【背景技術】
【０００２】
例えば、鍵盤装置においては、特許文献１に記載されているように、前後方向の長さが音高によって異なる複数の鍵を備え、これら複数の鍵を押鍵操作した際に、その押鍵操作された鍵によってハンマー部材をそれぞれ回転させ、この回転したハンマー部材の上限位置を上限ストッパで規制するようにしたものが知られている。
【先行技術文献】
【特許文献】
【０００３】
【特許文献１】特開２０１５−３４８５３号公報
【発明の概要】
【発明が解決しようとする課題】
【０００４】
このような鍵盤装置では、複数の鍵の前後方向の長さが音高によって異なるように構成されているため、複数の鍵が押鍵操作された際に、各鍵の回転量が音高によって異なり、これに伴ってハンマー部材の回転量も音高によって異なるため、上限ストッパに当接するハンマー部材の当接力が音高によって異なる。
【０００５】
このため、このような鍵盤装置では、音高によって異なるハンマー部材の回転量を上限ストッパによって調整して、押鍵操作された鍵が押し下げられた際に、鍵の上面前端の高さを一致させるようにしなければ、アコースティックピアノの鍵タッチ感に近似する鍵タッチ感が得られないという問題がある。
【０００６】
また、このような鍵盤装置では、複数の鍵の前後方向の長さが音高によって異なり、これに伴うハンマー部材の回転量を上限ストッパによって調整するものであるから、構造が極めて複雑になり、その製作が面倒で、製造コストが高くなるという問題がある。
【０００７】
この発明が解決しようとする課題は、簡単な構造で、低コスト化を図り、かつアコースティックピアノの鍵タッチ感に近似する鍵タッチ感を得ることができる鍵盤装置およびそれを備えた鍵盤楽器を提供することである。
【課題を解決するための手段】
【０００８】
この発明は、押鍵された鍵に連動して回転することにより、前記鍵にアクション荷重を付与するハンマー部材と、前記ハンマー部材が回転した際に、前記ハンマー部材が当接して前記鍵に鍵荷重を付与する鍵荷重付与部材と、を備え、前記鍵荷重付与部材は、前記ハンマー部材が当接した際に前記鍵に付与される前記鍵荷重が前記鍵の高音域と前記鍵の低音域とで異なることを特徴とする鍵盤装置である。
【発明の効果】
【０００９】
この発明によれば、アコースティックピアノの鍵タッチ感に近似する鍵タッチ感を得ることができる。
【図面の簡単な説明】
【００１０】
【図１】この発明を鍵盤楽器に適用した一実施形態を示した平面図である。
【図２】図１に示された鍵盤楽器のＡ−Ａ矢視における鍵盤装置を示した拡大断面図である。
【図３】図２に示された鍵盤装置において、鍵が押鍵操作された状態を示した拡大断面図である。
【図４】図２に示された鍵盤装置において、鍵の配列方向に沿って配置された鍵荷重付与部材を示した要部の拡大断面図である。
【図５】図４に示された鍵荷重付与部材の第１変形例を示した要部の拡大断面図である。
【図６】図４に示された鍵荷重付与部材の第２変形例を示し、（ａ）はその要部を示した拡大断面図、（ｂ）はその鍵荷重付与部材にハンマー部材が当接して食い込んだ状態を示した要部の拡大断面図である。
【図７】図６に示された鍵荷重付与部材の第３変形例を示した要部の拡大断面図である。
【図８】図７に示された鍵荷重付与部材の第４変形例を示した要部の拡大断面図である。
【発明を実施するための形態】
【００１１】
以下、図１〜図４を参照して、この発明を鍵盤楽器に適用した一実施形態について説明する。
この鍵盤楽器は、図１に示すように、楽器ケース１を備えている。この楽器ケース１は、その内部に鍵盤装置２が上方に露出した状態で配置されていると共に、鍵盤装置２の後方における両側にスピーカ３がそれぞれ設けられるようになっている。また、この楽器ケース１の奥側（図１では上辺部側）に位置する上面には、スイッチ釦４ａと譜面立て部４ｂとが設けられている。
【００１２】
鍵盤装置２は、図２および図３に示すように、合成樹脂製の鍵盤シャーシ５と、この鍵盤シャーシ５上に配列されて上下方向にそれぞれ回転可能に取り付けられた複数の鍵６と、これら複数の鍵６の押鍵操作に伴って各鍵６それぞれにアクション荷重を付与する複数のハンマー部材７と、複数の鍵６の押鍵動作に応じてそれぞれオン信号を出力するスイッチ部８と、を備えている。
【００１３】
鍵盤シャーシ５は、図１に示す楽器ケース１内に配置されるものである。この鍵盤シャーシ５の前端部（図２では右端部）には、図２および図３に示すように、前脚部１０が底部から上方に突出して設けられている。この前脚部１０の上部には、鍵６の横振れを防ぐための鍵ガイド部１１が各鍵６にそれぞれ対応して設けられている。
【００１４】
また、この鍵盤シャーシ５における前脚部１０の後部側（図２では左側部）には、図２および図３に示すように、ハンマー載置部１２が前脚部１０よりも少し高い高さで設けられている。このハンマー載置部１２の下面には、ハンマー部材７を支持するためのハンマー支持部１３が下側に向けて突出して設けられている。このハンマー支持部１３には、ハンマー部材７を上下方向に回転可能に支持するハンマー支持軸１３ａが設けられている。
【００１５】
また、この鍵盤シャーシ５の前後方向（図２では左右方向）におけるほぼ中間部、つまりハンマー載置部１２の上部後方には、図２および図３に示すように、基板載置部１４が一段低い高さで設けられている。この基板載置部１４の上方には、スイッチ部８がハンマー載置部１２と基板支持部１５との両方に跨った状態で取り付けられている。この場合、基板支持部１５は、基板載置部１４の後部側（図２では左側）の上面に起立して設けられている。
【００１６】
さらに、この鍵盤シャーシ５の後部、つまり基板載置部１４の後部側には、図２および図３に示すように、鍵載置部１６が鍵ガイド部１１の上部とほぼ同じ高さで設けられている。この鍵載置部１６の上面には、鍵支持部１７が上方に突出して設けられている。この鍵支持部１７には、鍵６の後端部を上下方向に回転可能に支持する鍵支持軸１７ａが設けられている。
【００１７】
また、この鍵盤シャーシ５における鍵載置部１６の後端部には、図２および図３に示すように、鍵盤シャーシ５の後端部を支持する後脚部１８が鍵盤シャーシ５の上部から底部に向けて垂下されている。この後脚部１８の下端部には、ハンマー部材７の下限位置を規制するためのフェルトなどの下限ストッパ部２０が設けられている。
【００１８】
一方、鍵６は、図１に示すように、白鍵６ａと黒鍵６ｂとを有している。ただし、この実施形態では、１つの白鍵６ａについて説明する。この白鍵６ａである鍵６は、図２および図３に示すように、その後端部（図２では左端部）が鍵盤シャーシ５の鍵載置部１６上に設けられた鍵支持部１７に鍵支持軸１７ａによって上下方向に回転可能に支持されている。
【００１９】
この鍵６の前後方向（図２では左右方向）におけるほぼ中間部には、図２および図３に示すように、鍵盤シャーシ５の基板載置部１４上に取り付けられたスイッチ部８を押圧するためのスイッチ押圧部２１が下側に突出して設けられている。この場合、スイッチ部８は、鍵６の配列方向に沿って配置されたスイッチ基板２２と、このスイッチ基板２２上に配置されたゴムシート２３と、を備えている。
【００２０】
この場合、スイッチ基板２２は、図２および図３に示すように、その前端部（図２では右端部）がハンマー載置部１２上に配置され、他端部（図２では左端部）が基板載置部１４上に設けられた基板支持部１５上に配置され、この状態で基板載置部１４の上方に位置した状態で、鍵６の配列方向に沿って取り付けられている。ゴムシート２３は、ドーム状の膨出部２３ａが複数の鍵６の各スイッチ押圧部２１にそれぞれ対応して設けられている。
【００２１】
また、このスイッチ部８は、図２および図３に示すように、ゴムシート２３の膨出部２３ａがスイッチ押圧部２１によって押圧された際に、膨出部２３ａが弾性変形して、その内部の可動接点がスイッチ基板２２の固定接点（いずれも図示せず）に接触してオン信号を出力するようになっている。
【００２２】
さらに、鍵６のスイッチ押圧部２１の前側（図２では右側）に位置する鍵６の箇所には、図２および図３に示すように、ハンマー押圧部２４が鍵６の下側に向けて突出して設けられている。このハンマー押圧部２４の下部には、ハンマー部材７の後述する鍵当接摺動部２９を摺動可能に保持するハンマー保持部２５が設けられている。
【００２３】
一方、ハンマー部材７は、図２および図３に示すように、ハンマー本体２６と、このハンマー本体２６の後部（図２では左側部）に設けられた錘部２７と、ハンマー本体２６の前部側（図２では右側部）に設けられて、ハンマー本体２６の回転中心となる合成樹脂製の回転取付部２８と、ハンマー本体２６の前側に位置する先端部（図２では右端部）に設けられた鍵当接摺動部２９と、を備えている。
【００２４】
このハンマー部材７は、図２および図３に示すように、ハンマー本体２６の鍵当接摺動部２９を鍵盤シャーシ５のハンマー載置部１２の前下り部１９に設けられた開口部１９ａに挿入させた状態で、ハンマー本体２６の回転取付部２８をハンマー載置部１２の下面に設けられたハンマー支持部１３のハンマー支持軸１３ａに回転可能に取り付けることにより、ハンマー本体２６がハンマー支持部１３のハンマー支持軸１３ａを中心に上下方向に回転するようになっている。
【００２５】
また、このハンマー部材７は、図２および図３に示すように、ハンマー本体２６の回転取付部２８がハンマー支持部１３のハンマー支持軸１３ａに回転可能に取り付けられた際に、ハンマー本体２６の前側に位置する先端部（図２では右端部）に設けられた鍵当接摺動部２９が、鍵６のハンマー押圧部２４に形成されたハンマー保持部２５内に、摺動可能に挿入されるようになっている。
【００２６】
これにより、ハンマー部材７は、図２に示すように、通常の状態で、ハンマー本体２６が錘部２７の重量によってハンマー支持部１３のハンマー支持軸１３ａを中心に反時計回りに回転し、ハンマー本体２６の錘部２７側の後端部（図２では左端部）が下限ストッパ部２０に当接して位置規制されると共に、ハンマー本体２６の鍵当接摺動部２９が鍵６のハンマー押圧部２４を押し上げて鍵６を上限位置に位置規制するようになっている。
【００２７】
また、このハンマー部材７は、図３に示すように、鍵６が上方から押鍵されると、鍵６のハンマー押圧部２４によってハンマー本体２６の鍵当接摺動部２９がハンマー本体２６の錘部２７の重量に抗して押し下げられ、これに伴ってハンマー本体２６がハンマー支持部１３のハンマー支持軸１３ａを中心に時計回りに回転し、ハンマー本体２６の錘部２７側の後端部が鍵盤シャーシ５の鍵載置部１６の下面に設けられた鍵荷重付与部材３０に当接して、ハンマー本体２６の時計回り方向の回転が停止されるようになっている。
【００２８】
この鍵荷重付与部材３０は、図２〜図４に示すように、弾力性を有する材料で形成され、鍵盤シャーシ５の鍵載置部１６の下面に鍵６の配列方向に沿って連続して設けられている。この鍵荷重付与部材３０は、その厚みが鍵６の高音域から鍵６の低音域に向かうに従って次第に厚くなるように設けられている。すなわち、この鍵荷重付与部材３０は、図４に示すように、ハンマー部材７が当接する面側から順に、消音層３０ａ、耐衝撃層３０ｂ、ベース層３０ｃを積層した３層構造になっている。
【００２９】
この場合、消音層３０ａは、図４に示すように、フェルトなどの弾性変形し易い弾性材料である。この消音層３０ａは、鍵６が押鍵操作されてハンマー部材７が当接した際に、弾性変形することにより、ハンマー部材７の当接による衝撃を緩衝すると共に、ハンマー部材７の当接による衝撃音を消音するようになっている。
【００３０】
耐衝撃層３０ｂは、図４に示すように、例えば、振動を抑える制振ゴムなどの衝撃力に強い低反発材料である。この耐衝撃層３０ｂは、鍵６が押鍵操作されてハンマー部材７が消音層３０ａを弾性変形させた際に、消音層３０ａがハンマー部材７によって押し当てられることにより、ハンマー部材７の当接による衝撃を低反発で受け止めるようになっている。
【００３１】
ベース層３０ｃは、図４に示すように、例えば、ゴムスポンジ（発砲ゴム）などの耐衝撃層３０ｂよりも少し柔らかい低反発材料である。このベース層３０ｃは、鍵６の押鍵操作によってハンマー部材７が消音層３０ａを耐衝撃層３０ｂに押し当て、その衝撃を耐衝撃層３０ｂが低反発で受け止めた際に、耐衝撃層３０ｂの弾性変形を弾力的に吸収するようになっている。
【００３２】
ところで、消音層３０ａは、図４に示すように、その厚みが鍵６の高音域から鍵６の低音域に向かうに従って次第に厚くなるように設けられている。耐衝撃層３０ｂは、その厚みが薄く、鍵６の高音域から鍵６の低音域に亘って同じ厚みで設けられている。ベース層３０ｃは、その厚みが耐衝撃層３０ｂよりも厚く、鍵６の高音域から鍵６の低音域に亘って同じ厚みで設けられている。
【００３３】
これにより、鍵荷重付与部材３０は、図４に示すように、その全体の厚みが鍵６の高音域から鍵６の低音域に向かうに従って次第に厚くなるように設けられていることにより、鍵６が押鍵操作されてハンマー部材７が当接した際に、高音域と低音域とで変形量が異なるようになっている。
【００３４】
すなわち、この鍵荷重付与部材３０は、図４に示すように、消音層３０ａの厚みが高音域から低音域に向かって次第に厚く、かつ耐衝撃層３０ｂとベース層３０ｃとの厚みが高音域から低音域に亘って同じであるから、高音域のハンマー部材７が当接した際に、消音層３０ａの変形量が小さく、鍵荷重が軽くなり、また低音域のハンマー部材７が当接した際に、消音層３０ａの変形量が大きく、鍵荷重が重くなるようになっている。
【００３５】
この場合、鍵荷重付与部材３０は、図４に示すように、その全体の厚みが鍵６の高音域から鍵６の低音域に向かうに従って次第に厚くなるように設けられていることにより、高音域のハンマー部材７が消音層３０ａに当接するタイミングが、低音域のハンマー部材７が消音層３０ａに当接するタイミングよりも遅くなるようになっている。
【００３６】
このため、この鍵荷重付与部材３０は、図４に示すように、鍵６が押鍵操作されてハンマー部材７が消音層３０ａ、耐衝撃層３０ｂ、ベース層３０ｃに食い込んで、これら消音層３０ａ、耐衝撃層３０ｂ、ベース層３０ｃを変形させる際に、高音域に位置するハンマー部材７の食込みによる変形量が、低音域に位置するハンマー部材７の食込みによる変形量よりも小さくなり、これにより高音域の鍵荷重が低音域の鍵荷重よりも軽くなるようになっている。
【００３７】
次に、このような鍵盤楽器における鍵盤装置２の作用について説明する。
まず、鍵６が押鍵操作されていない初期状態のときには、図２に示すように、ハンマー部材７が錘部２７の重量によってハンマー支持部１３のハンマー支持軸１３ａを中心に反時計回りに回転し、このハンマー部材７の錘部２７側の後端部が鍵盤シャーシ５の後脚部１８における下端部に設けられた下限ストッパ１５に当接している。
【００３８】
このときには、図２に示すように、鍵６のハンマー押圧部２４のハンマー保持部２５がハンマー本体２６の先端部（図２では右端部）に位置する鍵当接摺動部２９によって押し上げられる。このため、鍵６が鍵盤シャーシ５の鍵載置部１６上に設けられた鍵支持部１７の鍵支持軸１７ａを中心に反時計回りに回転して上限位置に規制されている。この状態では、鍵６のスイッチ押圧部２１がスイッチ部８の上方に位置して離れている。
【００３９】
この状態で、鍵６を押鍵操作すると、図３に示すように、鍵６が鍵支持部１７の鍵支持軸１７ａを中心に時計回りに回転して、ハンマー押圧部２４のハンマー保持部２５がハンマー部材７の鍵当接摺動部２９を押し下げる。これにより、ハンマー部材７が錘部２７の重量に抗して、図３において時計回りに回転する。このときには、ハンマー部材７のハンマー本体２６の回転によって、鍵６にアクション荷重が付与されるので、鍵荷重が急に重くなる。
【００４０】
そして、鍵６が押鍵操作に伴って回転し、鍵６のスイッチ押圧部２１がスイッチ部８を押圧すると、ゴムシート２３の膨出部２３ａが弾性変形する。このときには、ゴムシート２３の膨出部２３ａの弾性変形によって鍵荷重が更に重くなる。この状態で、鍵６が更に回転して鍵６のスイッチ押圧部２１がスイッチ部８を更に押圧すると、ゴムシート２３の膨出部２３ａが更に弾性変形して、スイッチ部８がスイッチ信号を出力する。
【００４１】
そして、鍵６が更に回転し、ハンマー本体２６が更に回転すると、ハンマー部材７の後端部（図３では左端部）が鍵盤シャーシ５の鍵載置部１３の下面に設けられた鍵荷重付与部材３０に当接し、ハンマー本体２６が上限位置に規制されて、ハンマー部材７の回転が停止する。このときには、鍵荷重付与部材３０が鍵６に鍵荷重を付与する。
【００４２】
すなわち、ハンマー本体２６の後端部が鍵荷重付与部材３０に当接すると、ハンマー本体２６の後端部が鍵荷重付与部材３０に弾力的に食い込むことにより、そのハンマー本体２６の後端部の食込み量に応じて鍵荷重付与部材３０が弾性変形し、この鍵荷重付与部材３０がその変形量に応じて鍵６に鍵荷重を付与する。
【００４３】
この場合、鍵荷重付与部材３０は、その厚みが鍵６の高音域から鍵６の低音域に向かうに従って次第に厚くなっていることにより、高音域のハンマー本体２６の後端部が鍵荷重付与部材３０に当接するタイミングが、低音域のハンマー本体２６の後端部が鍵荷重付与部材３０に当接するタイミングよりも遅くなる。
【００４４】
このため、高音域のハンマー部材７が鍵荷重付与部材３０に食い込む食込み量は、低音域のハンマー部材７が鍵荷重付与部材３０に食い込む食込み量よりも小さくなる。これにより、高音域の鍵６に付与される鍵荷重が低音域の鍵６に付与される鍵荷重よりも軽くなる。
【００４５】
すなわち、鍵荷重付与部材３０は、消音層３０ａ、耐衝撃層３０ｂ、ベース層３０ｃの３層構造で、これら全体の厚みが高音域から低音域に向かって次第に厚くなっているから、高音域のハンマー部材７が鍵荷重付与部材３０に当接した際に、ハンマー部材７が消音層３０ａ、耐衝撃層３０ｂ、ベース層３０ｃに食い込む食込み量が少なく、消音層３０ａ、耐衝撃層３０ｂ、ベース層３０ｃの変形量が小さい。
【００４６】
一方、低音域のハンマー部材７が鍵荷重付与部材３０に当接した際には、鍵荷重付与部材３０の厚みが高音域よりも厚いため、ハンマー部材７が消音層３０ａ、耐衝撃層３０ｂ、ベース層３０ｃに食い込む食込み量が多く、消音層３０ａ、耐衝撃層３０ｂ、ベース層３０ｃの変形量が大きい。
【００４７】
この場合、鍵荷重付与部材３０は、消音層３０ａの厚みが高音域から低音域に向かって次第に厚く設けられ、耐衝撃層３０ｂとベース層３０ｃとの厚みが高音域から低音域に亘って同じであり、これら全体の厚みが高音域から低音域に向かって次第に厚くなっているので、高音域の変形量が低音域の変形量よりも小さいことにより、高音域の鍵荷重が低音域の鍵荷重よりも軽くなる。これにより、アコースティックピアノの鍵タッチ感に近似する鍵タッチ感が得られる。
【００４８】
そして、鍵６から指が離れて鍵６が離鍵動作を開始すると、図３に示すように、ハンマー部材７のハンマー本体２６が、その錘部２７の重量、鍵荷重付与部材３０の弾性復帰力、およびスイッチ部８のゴムシート２３における膨出部２３ａの弾性復帰力によって、ハンマー支持部１３のハンマー支持軸１３ａを中心に反時計回りに回転する。このときには、鍵荷重が急激に軽くなる。
【００４９】
この後、ハンマー本体２６がその錘部２７の重量によってハンマー支持部１３のハンマー支持軸１３ａを中心に反時計回りに更に回転し、これに伴って鍵６が鍵支持部１７の鍵支持軸１７ａを中心に反時計回りに更に回転し、ハンマー本体２６の錘部２７側の後端部が鍵盤シャーシ５の後脚部１８における下端部に設けられた下限ストッパ１５に当接する。
【００５０】
これにより、鍵６は、図２に示すように、ハンマー押圧部２４のハンマー保持部２５がハンマー本体２６の先端部（図２では右端部）に位置する鍵当接摺動部２９によって押し上げられるので、鍵６が鍵支持部１７の鍵支持軸１７ａを中心に反時計回りに回転して上限位置に規制される。この状態では、鍵６が初期位置に戻り、鍵６のスイッチ押圧部２１がスイッチ部８の上方に位置して離れる。
【００５１】
このように、この鍵盤楽器の鍵盤装置２によれば、押鍵された鍵６に連動して回転することにより、鍵６にアクション荷重を付与するハンマー部材７と、このハンマー部材７が回転した際に、ハンマー部材７が当接して鍵６に鍵荷重を付与する鍵荷重付与部材３０と、を備え、この鍵荷重付与部材３０は、ハンマー部材７が当接した際に鍵６に付与される鍵荷重が鍵６の高音域と鍵６の低音域とで異なることにより、構造が簡単で、低コスト化を図り、かつアコースティックピアノの鍵タッチ感に近似する鍵タッチ感を得ることができる。
【００５２】
すなわち、この鍵盤楽器の鍵盤装置２では、押鍵された鍵６に連動してハンマー部材７が回転して鍵荷重付与部材３０に当接した際に、鍵荷重付与部材３０に対するハンマー部材７の当接位置によって鍵６に付与される鍵荷重を高音域と低音域とで異ならせることができるので、鍵６の前後方向の長さを各鍵６ごとに変える必要がないため、装置全体の構造が極めて簡単になり、その製造コストの低価格化を図ることができると共に、アコースティックピアノの鍵タッチ感に近似する鍵タッチ感を得ることができる。
【００５３】
この場合、鍵荷重付与部材３０は、弾力性を有する材料であることにより、押鍵された鍵６に連動してハンマー部材７が回転して鍵荷重付与部材３０に当接した際に、ハンマー部材７が鍵荷重付与部材３０に弾力的に食い込むことにより、その食込み量に応じて鍵荷重付与部材３０が鍵６に鍵荷重を付与することができる。
【００５４】
また、この鍵荷重付与部材３０は、その厚みが鍵６の高音域から鍵６の低音域に向かうに従って次第に厚くなっていることにより、高音域のハンマー部材７が鍵荷重付与部材３０に当接するタイミングが、低音域のハンマー部材７が鍵荷重付与部材３０に当接するタイミングよりも遅くなり、このため鍵荷重付与部材３０に対する高音域のハンマー部材７の食込み量が、低音域のハンマー部材７の食込み量よりも小さくなるので、高音域の鍵荷重を低音域の鍵荷重よりも軽くすることができる。
【００５５】
すなわち、この鍵荷重付与部材３０は、ハンマー部材７が当接した際に、鍵荷重付与部材３０に対する高音域のハンマー部材７の食込み量が、低音域のハンマー部材７の食込み量よりも小さくなることにより、高音域に位置する鍵荷重付与部材３０の変形量を、低音域に位置する鍵荷重付与部材３０の変形量よりも小さくすることができ、これにより高音域の鍵荷重を低音域の鍵荷重よりも軽くすることができる。
【００５６】
この場合、鍵荷重付与部材３０は、ハンマー部材７が当接する面側から順に、消音層３０ａ、耐衝撃層３０ｂ、ベース層３０ｃの３層構造で形成されていることより、ハンマー部材７が鍵荷重付与部材３０に当接した際に、消音層３０ａによってハンマー部材７の当接による衝撃を緩衝することができると共に、ハンマー部材７の当接による衝撃音を消音することができ、耐衝撃層３０ｂによってハンマー部材７の当接による衝撃を低反発で受け止めることができ、ベース層３０ｃによって耐衝撃層３０ｂの弾性変形を弾力的に吸収することができる。
【００５７】
すなわち、消音層３０ａは、フェルトなどの弾性変形し易い弾性材料であることにより、ハンマー部材７が鍵荷重付与部材３０に当接した際に、消音層３０ａが弾性変形するため、ハンマー部材７の当接による衝撃を緩衝することができると共に、ハンマー部材７の当接による衝撃音を消音することができる。
【００５８】
また、耐衝撃層３０ｂは、衝撃力に強い低反発材料、例えば振動を抑える制振ゴムなどであることにより、ハンマー部材７が鍵荷重付与部材３０に当接して消音層３０ａを弾性変形させた際に、耐衝撃層３０ｂに消音層３０ａが押し当てられることにより、ハンマー部材７の当接による衝撃を低反発で良好に受け止めることができる。
【００５９】
さらに、ベース層３０ｃは、耐衝撃層３０ｂよりも少し柔らかい低反発材料、例えばゴムスポンジ（発砲ゴム）などであることにより、ハンマー部材７が鍵荷重付与部材３０に当接して消音層３０ａを耐衝撃層３０ｂに押し当て、その衝撃を耐衝撃層３０ｂが低反発で受け止めた際に、耐衝撃層３０ｂの弾性変形を弾力的に吸収することができる。
【００６０】
この場合、鍵荷重付与部材３０は、消音層３０ａの厚みが高音域から低音域に向かって次第に厚く、耐衝撃層３０ｂとベース層３０ｃとの厚みが高音域から低音域に亘って同じであり、これら全体の厚みが高音域から低音域に向かって次第に厚くなっているので、高音域の変形量を低音域の変形量よりも小さくすることができ、これにより高音域の鍵荷重を低音域の鍵荷重よりも軽くすることができるので、より一層、アコースティックピアノの鍵タッチ感に近似する鍵タッチ感を得ることができる。
【００６１】
（第１変形例）
次に、図５を参照して、この鍵盤装置２の鍵荷重付与部材３５の第１変形例について説明する。なお、図１〜図４に示された実施形態と同一部分には同一符号を付して説明する。
この鍵荷重付与部材３５は、図５に示すように、その全体の厚みが高音域から低音域に亘って同じ厚みで、ハンマー部材７が当接した際に変形する変形量が高音域から低音域に向かうに従って次第に大きくなるようになっている。
【００６２】
すなわち、この鍵荷重付与部材３５は、図５に示すように、上述した実施形態と同様、ハンマー部材７が当接する面側から順に、消音層３５ａ、耐衝撃層３５ｂ、ベース層３５ｃを積層した３層構造になっている。この場合、消音層３５ａは、フェルトなどの弾性変形し易い弾性材料である。この消音層３５ａは、鍵６が押鍵操作されてハンマー部材７が当接した際に、弾性変形することにより、ハンマー部材７の当接による衝撃を緩衝すると共に、ハンマー部材７の当接による衝撃音を消音するようになっている。
【００６３】
耐衝撃層３５ｂは、図５に示すように、上述した実施形態と同様、例えば振動を抑える制振ゴムなどの衝撃力に強い低反発材料である。この耐衝撃層３５ｂは、鍵６が押鍵操作されてハンマー部材７が消音層３５ａを弾性変形させた際に、消音層３５ａが押し当てられることにより、ハンマー部材７の当接による衝撃を低反発で受け止めるようになっている。
【００６４】
ベース層３５ｃは、図５に示すように、上述した実施形態と同様、例えばゴムスポンジ（発砲ゴム）などの耐衝撃層３５ｂよりも少し柔らかい低反発材料である。このベース層３５ｃは、鍵６の押鍵操作によってハンマー部材７が消音層３５ａを耐衝撃層３５ｂに押し当て、その衝撃を耐衝撃層３５ｂで受け止めた際に、耐衝撃層３５ｂの弾性変形を弾力的に吸収するようになっている。
【００６５】
この場合、消音層３５ａは、図５に示すように、その厚みが鍵６の高音域から鍵６の低音域に向かうに従って次第に厚くなっている。耐衝撃層３５ｂは、その厚みが薄く、鍵６の高音域から鍵６の低音域に亘って同じ厚みで設けられている。ベース層３５ｃは、その厚みが耐衝撃層３５ｂよりも厚く、鍵６の高音域から鍵６の低音域に向かうに従って次第に薄くなっている。
【００６６】
これにより、鍵荷重付与部材３５は、図５に示すように、その全体の厚みが鍵６の高音域から鍵６の低音域に亘って同じ厚みになっている。このため、この鍵荷重付与部材３５は、鍵６が押鍵操作されてハンマー部材７が当接する際に、高音域のハンマー部材７と低音域のハンマー部材７とが同じタイミングで当接するが、高音域と低音域とで変形量が異なるようになっている。
【００６７】
すなわち、この鍵荷重付与部材３５は、図５に示すように、消音層３５ａの厚みが高音域から低音域に向かって次第に厚く、かつ耐衝撃層３５ｂの厚みが高音域から低音域に亘って同じ厚みで、ベース層３５ｃの厚みが鍵６の高音域から鍵６の低音域に向かうに従って次第に薄くなっているから、高音域のハンマー部材７が当接した際に、消音層３５ａの変形量が小さく、鍵荷重が軽くなり、また低音域のハンマー部材７が当接した際に、消音層３５ａの変形量が大きく、鍵荷重が重くなるようになっている。
【００６８】
つまり、この鍵荷重付与部材３５は、図５に示すように、鍵６が押鍵操作されてハンマー部材７が消音層３５ａ、耐衝撃層３５ｂ、ベース層３５ｃに食い込んで、これら消音層３５ａ、耐衝撃層３５ｂ、ベース層３５ｃを変形させる際に、高音域に位置するハンマー部材７の食込みによる鍵荷重付与部材３５の変形量が、低音域に位置するハンマー部材７の食込みによる鍵荷重付与部材３５の変形量よりも小さいため、高音域の鍵荷重が低音域の鍵荷重よりも軽くなるようになっている。
【００６９】
このような鍵盤装置２では、鍵荷重付与部材３５の厚みが鍵６の高音域から鍵６の低音域に亘って同じ厚みで、ハンマー部材７が当接した際の弾性変形量が鍵６の高音域から鍵６の低音域に向かうに従って次第に大きくなっていることにより、ハンマー部材７が当接した際に、鍵６に付与される鍵荷重を鍵６の高音域と鍵６の低音域とで異ならせることができるので、上述した実施形態と同様、構造が簡単で、低コスト化を図り、かつアコースティックピアノの鍵タッチ感に近似する鍵タッチ感を得ることができる。
【００７０】
すなわち、この鍵盤装置２では、押鍵された鍵６に連動してハンマー部材７が回転して鍵荷重付与部材３５に当接する際に、高音域のハンマー部材７と低音域のハンマー部材７とを同じタイミングで当接させることができると共に、鍵荷重付与部材３５に対するハンマー部材７の当接位置によって鍵６に付与される鍵荷重を高音域と低音域とで異ならせることができ、これにより上述した実施形態と同様、装置全体の構造が極めて簡単になり、製造コストの低価格化を図ることができると共に、アコースティックピアノの鍵タッチ感に近似する鍵タッチ感を得ることができる。
【００７１】
この場合、鍵荷重付与部材３５は、消音層３５ａの厚みが高音域から低音域に向かって次第に厚く、かつ耐衝撃層３５ｂの厚みが高音域から低音域に亘って同じ厚みで、ベース層３０ｃの厚みが鍵６の高音域から鍵６の低音域に向かうに従って次第に薄くなっているから、高音域の変形量を低音域の変形量よりも小さくすることができ、これにより高音域の鍵荷重を低音域の鍵荷重よりも軽くすることができるので、アコースティックピアノの鍵タッチ感に近似する鍵タッチ感が得られる。
【００７２】
すなわち、この鍵荷重付与部材３５は、鍵６が押鍵操作されてハンマー部材７が消音層３５ａ、耐衝撃層３５ｂ、ベース層３５ｃに食い込んで、これら消音層３５ａ、耐衝撃層３５ｂ、ベース層３５ｃを変形させる際に、高音域に位置するハンマー部材７の食込みによる鍵荷重付与部材３５の変形量を、低音域に位置するハンマー部材７の食込みによる鍵荷重付与部材３５の変形量よりも小さくすることができるので、高音域の鍵荷重を低音域の鍵荷重よりも軽くすることができる。
【００７３】
（第２変形例）
次に、図６（ａ）および図６（ｂ）を参照して、この鍵盤装置２の鍵荷重付与部材４０の第２変形例について説明する。この場合にも、図１〜図４に示された実施形態と同一部分には同一符号を付して説明する。
この鍵荷重付与部材４０は、図６（ａ）および図６（ｂ）に示すように、ゲルまたは粘性を有する流動体を用いたものである。
【００７４】
すなわち、この鍵荷重付与部材４０は、図６（ａ）および図６（ｂ）に示すように、ゲルまたは粘性を有する流動体を真空パックした流動層４０ａと、ベース層４０ｂとを積層した２層構造になっている。この場合、流動層４０ａは、鍵６が押鍵操作されてハンマー部材７が当接した際に、その当接した箇所のゲルまたは流動体が流動して流動層４０ａが変形することにより、ハンマー部材７の当接による衝撃を緩衝すると共に、ハンマー部材７の当接による衝撃音を消音するようになっている。
【００７５】
ベース層４０ｂは、図６（ａ）および図６（ｂ）に示すように、上述した実施形態のベース層３０ｃと同様、例えばゴムスポンジ（発砲ゴム）などの少し柔らかい低反発材料である。このベース層４０ｂは、鍵６の押鍵操作によってハンマー部材７が流動層４０ａに当接して流動層４０ａを変形させた際に、流動層４０ａがハンマー部材７によってベース層４０ｂに押し当てられて、ベース層４０ｂが弾性変形することにより、ハンマー部材７の当接による衝撃を弾力的に吸収するようになっている。
【００７６】
ところで、流動層４０ａは、図６（ａ）および図６（ｂ）に示すように、その厚みが鍵６の高音域から鍵６の低音域に向かうに従って次第に厚くなるようになっている。ベース層４０ｂは、その厚みが鍵６の高音域から鍵６の低音域に亘って同じ厚みで設けられている。
【００７７】
これにより、鍵荷重付与部材４０は、図６（ａ）および図６（ｂ）に示すように、その全体の厚みが鍵６の高音域から鍵６の低音域に向かうに従って次第に厚くなるように設けられている。このため、この鍵荷重付与部材４０は、鍵６が押鍵操作されてハンマー部材７が当接した際に、高音域と低音域とで変形量が異なるようになっている。
【００７８】
すなわち、この鍵荷重付与部材４０は、図６（ａ）および図６（ｂ）に示すように、流動層４０ａの厚みが高音域から低音域に向かって次第に厚く、ベース層４０ｂの厚みが高音域から低音域に亘って同じであるから、高音域のハンマー部材７が当接した際に、流動層４０ａの変形量が小さく、鍵荷重が軽くなり、また低音域のハンマー部材７が当接した際に、流動層４０ａの変形量が大きく、鍵荷重が重くなるようになっている。
【００７９】
この場合、鍵荷重付与部材４０は、図６（ａ）および図６（ｂ）に示すように、その全体の厚みが鍵６の高音域から鍵６の低音域に従って次第に厚くなるように設けられていることにより、高音域のハンマー部材７が流動層４０ａに当接するタイミングが、低音域のハンマー部材７が流動層４０ａに当接するタイミングよりも遅くなるようになっている。
【００８０】
このため、この鍵荷重付与部材４０は、図６（ａ）および図６（ｂ）に示すように、鍵６が押鍵操作されてハンマー部材７が流動層４０ａとベース層４０ｂとに食い込んで、これら流動層４０ａとベース層４０ｂとを変形させる際に、高音域に位置するハンマー部材７の食込みによる鍵荷重付与部材４０の変形量が、低音域に位置するハンマー部材７の食込みによる鍵荷重付与部材４０の変形量よりも小さいため、高音域の鍵荷重が低音域の鍵荷重よりも軽くなるようになっている。
【００８１】
このような鍵盤装置２では、鍵荷重付与部材４０の厚みが鍵６の高音域から鍵６の低音域に向かうに従って次第に厚くなるように設けられていることにより、ハンマー部材７が当接した際に、鍵６に付与される鍵荷重を鍵６の高音域と鍵６の低音域とで異ならせることができるので、上述した実施形態と同様、構造が簡単で、低コスト化を図り、かつアコースティックピアノの鍵タッチ感に近似する鍵タッチ感を得ることができる。
【００８２】
すなわち、この鍵盤楽器の鍵盤装置２では、押鍵された鍵６に連動してハンマー部材７が回転して鍵荷重付与部材４０に当接する際に、高音域のハンマー部材７が鍵荷重付与部材４０に当接するタイミングが、低音域のハンマー部材７が鍵荷重付与部材４０に当接するタイミングよりも遅くなり、このため鍵荷重付与部材４０に対する高音域のハンマー部材７の食込み量が、低音域のハンマー部材７の食込み量よりも小さくなるので、高音域の鍵荷重を低音域の鍵荷重よりも軽くすることができる。
【００８３】
すなわち、この鍵荷重付与部材４０は、ハンマー部材７が当接した際に、鍵荷重付与部材４０に対する高音域のハンマー部材７の食込み量が、低音域のハンマー部材７の食込み量よりも小さくなることにより、高音域に位置する鍵荷重付与部材４０の変形量を、低音域に位置する鍵荷重付与部材４０の変形量よりも小さくすることができ、これにより高音域の鍵荷重を低音域の鍵荷重よりも軽くすることができる。
【００８４】
この場合、鍵荷重付与部材４０は、ハンマー部材７が当接する面側から順に、流動層４０ａとベース層４０ｂとの２層構造であることより、ハンマー部材７が鍵荷重付与部材４０に当接した際に、流動層４０ａによってハンマー部材７の当接による衝撃を緩衝することができると共に、ハンマー部材７の当接による衝撃音を消音することができ、ベース層４０ｂの弾力によってハンマー部材７の当接による衝撃を吸収することができる。
【００８５】
すなわち、流動層４０ａは、ゲルまたは粘性を有する流動体を真空パックしたものであることにより、ハンマー部材７が当接した際に、その当接した箇所のゲルまたは流動体が流動して流動層４０ａが変形することにより、ハンマー部材７の当接による衝撃を緩衝することができると共に、ハンマー部材７の当接による衝撃音を消音することができる。
【００８６】
また、ベース層４０ｂは、少し柔らかい低反発材料、例えばゴムスポンジ（発砲ゴム）などであることにより、ハンマー部材７が鍵荷重付与部材４０に当接し、流動層４０ａが変形してベース層４０ｂに押し当てられた際に、ベース層４０ｂが弾性変形することにより、ハンマー部材７の当接による衝撃を弾力的に吸収することができる。
【００８７】
これにより、この鍵荷重付与部材４０は、流動層４０ａの厚みが高音域から低音域に向かって次第に厚く、ベース層４０ｂの厚みが高音域から低音域に亘って同じであり、これら全体の厚みが高音域から低音域に向かって次第に厚く設けられているので、高音域の変形量を低音域の変形量よりも小さくすることができ、これにより高音域の鍵荷重を低音域の鍵荷重よりも軽くすることができるので、アコースティックピアノの鍵タッチ感に近似する鍵タッチ感を得ることができる。
【００８８】
すなわち、この鍵荷重付与部材４０は、鍵６が押鍵操作されてハンマー部材７が流動層４０ａとベース層４０ｂとに食い込んで、これら流動層４０ａとベース層４０ｂとを変形させる際に、高音域に位置するハンマー部材７の食込みによる鍵荷重付与部材４０の変形量を、低音域に位置するハンマー部材７の食込みによる鍵荷重付与部材４０の変形量よりも小さくすることができるので、高音域の鍵荷重を低音域の鍵荷重よりも軽くすることができる。
【００８９】
（第３変形例）
次に、図７を参照して、この鍵盤装置２の鍵荷重付与部材４１の第３変形例について説明する。この場合には、図６（ａ）および図６（ｂ）に示された第２変形例と同一部分に同一符号を付して説明する。
この鍵荷重付与部材４１は、図７に示すように、ハンマー部材７が当接する流動層４０ａの下面にガイド部４１ａを設けたものであり、これ以外は第２変形例と同じになっている。
【００９０】
すなわち、ガイド部４１ａは、図７に示すように、複数のハンマー部材７の各両側部にそれぞれ対応する流動層４０ａの下面にその下側に向けて突出して設けられている。これにより、ガイド部４１ａは、ハンマー部材７が流動層４０ａの下面に当接する際に、ハンマー部材７の両側部をガイドしてハンマー部材７の横振れを防いで、ハンマー部材７を流動層４０ａの下面における所定箇所に当接させるようになっている。
【００９１】
このような鍵盤装置２では、第２変形例と同様の作用効果があるほか、ハンマー部材７が流動層４０ａの下面に当接する際に、ハンマー部材７が当接する流動層４０ａの下面に設けられたガイド部４１ａによって、ハンマー部材７をガイドしてハンマー部材７の横振れを防ぐことができるので、高音域のハンマー部材７の食込みによる変形量を、低音域のハンマー部材７の食込みによる変形量よりも精度良く小さくすることができるので、高音域の鍵荷重を低音域の鍵荷重よりも精度良くかつ良好に軽くすることができる。
【００９２】
（第４変形例）
次に、図８を参照して、この鍵盤装置２の鍵荷重付与部材４２の第４変形例について説明する。この場合には、図７に示された第３変形例と同一部分に同一符号を付して説明する。
この鍵荷重付与部材４２は、図８に示すように、ハンマー部材７が当接する流動層４０ａの内部に仕切部４２ａを設けたものであり、これ以外は第３変形例と同じになっている。
【００９３】
すなわち、仕切部４２ａは、図８に示すように、ハンマー部材７が当接する流動層４０ａの内部に各ハンマー部材７の両側、つまり流動層４０ａの下面に設けられた各ガイド部４１ａの両側部にそれぞれ対応して設けられている。これにより、流動層４０ａは、その内部が仕切部４２ａによって各ハンマー部材７ごとに仕切られている。
【００９４】
このため、この鍵荷重付与部材４２は、図８に示すように、ハンマー部材７が流動層４０ａに当接した際に、流動層４０ａ内のゲルまたは流動体が隣接するハンマー部材７に対応する箇所に流動することがなく、仕切部４２ａで仕切られた領域内でゲルまたは流動体が流動することにより、流動層４０ａを変形させてベース層４０ｂに押し当て、ベース層４０ｂを弾性変形させるようになっている。
【００９５】
このような鍵荷重付与部材４２では、第３変形例と同様の作用効果があるほか、ハンマー部材７が当接する流動層４０ａの内部に仕切部４２ａを各ハンマー部材７の両側に対応させて設けているから、ハンマー部材７が流動層４０ａに当接した際に、流動層４０ａ内のゲルまたは流動体が隣接するハンマー部材７に対応する箇所に流動することがなく、仕切部４２ａで仕切られた領域内でゲルまたは流動体を流動させて流動層４０ａを変形させることができる。
【００９６】
このため、この鍵荷重付与部材４２では、仕切部４２ａで仕切られた領域内でゲルまたは流動体が流動することにより、この流動層４０ａを確実に変形させてベース層４０ｂに押し当てることができ、これによりベース層４０ｂを良好に弾性変形させることができるので、高音域のハンマー部材７の食込みによる鍵荷重付与部材４２の変形量を、低音域のハンマー部材７の食込みによる鍵荷重付与部材４２の変形量よりも精度良く小さくすることができるので、高音域の鍵荷重を低音域の鍵荷重よりも精度良くかつ良好に軽くすることができる。
【００９７】
なお、上述した第２変形例〜第４変形例では、鍵荷重付与部材４０〜４２の流動層４０ａの厚みを高音域から低音域に向かって次第に厚く、ベース層４０ｂの厚みを高音域から低音域に亘って同じで、これら全体の厚みを高音域から低音域に向かって次第に厚くした場合について述べたが、この発明はこれに限らず、例えば、第１変形例のように、全体の厚みを高音域から低音域に亘って同じ厚みで設けても良い。
【００９８】
この場合には、流動層４０ａの厚みを高音域から低音域に向かって次第に厚く、ベース層４０ｂの厚みを高音域から低音域に向かって次第に薄く設け、これら全体の厚みを高音域から低音域に亘って同じ厚みになるように設けていることにより、ハンマー部材７が当接した際に変形する変形量を鍵６の高音域から鍵６の低音域に向かうに従って次第に大きくなるように設けても良い。
【００９９】
以上、この発明の一実施形態およびその各変形例について説明したが、この発明は、これらに限られるものではなく、特許請求の範囲に記載された発明とその均等の範囲を含むものである。
以下に、本願の特許請求の範囲に記載された発明を付記する。
【０１００】
（付記）
請求項１に記載の発明は、押鍵された鍵に連動して回転することにより、前記鍵にアクション荷重を付与するハンマー部材と、前記ハンマー部材が回転した際に、前記ハンマー部材が当接して前記鍵に鍵荷重を付与する鍵荷重付与部材と、を備え、前記鍵荷重付与部材は、前記ハンマー部材が当接した際に前記鍵に付与される前記鍵荷重が前記鍵の高音域と前記鍵の低音域とで異なることを特徴とする鍵盤装置である。
【０１０１】
請求項２に記載の発明は、請求項１に記載の鍵盤装置において、前記鍵荷重付与部材は、弾力性を有する材料を含むことを特徴とする鍵盤装置である。
【０１０２】
請求項３に記載の発明は、請求項２に記載の鍵盤装置において、前記鍵荷重付与部材は、その厚みが前記鍵の高音域から前記鍵の低音域に向かうに従って次第に厚く形成されていることを特徴とする鍵盤装置である。
【０１０３】
請求項４に記載の発明は、請求項２に記載の鍵盤装置において、前記鍵荷重付与部材は、前記ハンマー部材が当接した際に変形する変形量が前記鍵の高音域から前記鍵の低音域に向かうに従って次第に大きいことを特徴とする鍵盤装置である。
【０１０４】
請求項５に記載の発明は、請求項２〜請求項４のいずれかに記載の鍵盤装置において、前記鍵荷重付与部材は、前記ハンマー部材が当接する面側から順に、消音層、耐衝撃層、ベース層の３層構造を有することを特徴とする鍵盤装置である。
【０１０５】
請求項６に記載の発明は、請求項１に記載の鍵盤装置において、前記鍵荷重付与部材は、ゲルまたは粘性を有する流動体を含むことを特徴とする鍵盤装置である。
【０１０６】
請求項７に記載の発明は、請求項１〜請求項６のいずれかに記載の鍵盤装置を備えていることを特徴とする鍵盤楽器である。
【符号の説明】
【０１０７】
１  楽器ケース
２  鍵盤装置
５  鍵盤シャーシ
６  鍵
７  ハンマー部材
３０、３５、４０、４１、４２  鍵荷重付与部材
３０ａ、３５ａ  消音層
３０ｂ、３５ｂ  耐衝撃層
３０ｃ、３５ｃ  ベース層
４０ａ  流動層
４０ｂ  ベース層
４１ａ  ガイド部
４２ａ  仕切部
【図１】
2018112626.tif 000003
【図２】
2018112626.tif 000004
【図３】
2018112626.tif 000005
【図４】
2018112626.tif 000006
【図５】
2018112626.tif 000007
【図６】
2018112626.tif 000008
【図７】
2018112626.tif 000009
【図８】
2018112626.tif 000010